(57)【要約】      （修正有）【課題】サウンド増幅歪みを軽減し、スピーカを保護する。【解決手段】サウンド増幅システムは、ダイヤフラム、ボイスコイル、バックキャビティ、バックキャビティ内に配置されて圧力の強さを感知するマイクロフォン１１を含むスピーカ本体１０と、圧力の強さによりダイヤフラムの変位を推定する計算ユニット１２と、推定されたダイヤフラムの変位を判定し、判定された変位と基準変位とを比較し、設定された閾値を超えたと判定する場合に事前補償信号を生成してそれを駆動ユニット１４に送る処理ユニット１３とを含む。【選択図】図１
2019140660.tif 000002
【特許請求の範囲】
【請求項１】
ダイヤフラムと、前記ダイヤフラムに連接されるボイスコイルと、バックキャビティとを含み、前記ボイスコイルは駆動ユニットに連接され、前記バックキャビティには少なくとも一つのマイクロフォンが配置され、前記バックキャビティ内に存在する圧力の強さが前記マイクロフォンにより感知されるスピーカー本体と、
前記バックキャビティ内に存在する前記圧力の前記強さにより前記ダイヤフラムの変位を推定する計算ユニットと、
推定された前記ダイヤフラムの前記変位を判定し、判定された前記変位と基準変位とを比較し、設定された閾値を超えたと判定する場合、事前補償信号が生成され、それを駆動ユニットに送る処理ユニットと、
を含む、
一体化されたバックキャビティ内に存在する圧力を感知するサウンド増幅システム。
【請求項２】
前記バックキャビティ内に存在する前記圧力の前記強さと前記ダイヤフラムの前記変位の間に、
Ｐ（ｓ）＝Ｘ（ｓ）×Ｓ／Ｃａ、ここで、
Ｐ（ｓ）は前記バックキャビティ内に存在する前記圧力の前記強さのラプラス変換であり、
Ｘ（ｓ）は前記ダイヤフラムの等価変位のラプラス変換であり、
ｓはラプラス独立変数であり、
Ｓは前記ダイヤフラムの等価面積であり、
Ｃａは前記バックキャビティのコンプライアンスである
という関係を有する請求項１の一体化されたバックキャビティ内に存在する圧力を感知するサウンド増幅システム。
【請求項３】
前記スピーカー本体の等価回路は一次回路を備え、前記一次回路はコイルにより生成された力Ｆｃｏｉｌと、回路内に存在するコイルと、前記ダイヤフラムの速度Ｖと、スピーカー質量Ｍｍｓの等価インダクタンスと、スピーカーの力抵抗Ｒｍｓの等価電気抵抗と、スピーカーコンプライアンスＣｍｓの等価コンデンサーとを含み、
コンバータの一次等価力はＦ’＝ｐＳであり、Ｆ’は前記コンバータの前記一次等価力であり、ｐは前記バックキャビティ内に存在する前記圧力の前記強さであり、Ｓは前記ダイヤフラムの等価面積である、
請求項１の一体化されたバックキャビティ内に存在する圧力を感知するサウンド増幅システム。
【請求項４】
前記スピーカー本体の前記等価回路はさらに二次回路を備え、前記二次回路は前記バックキャビティのコンプライアンスＣａの等価コンデンサーを含み、二次体速度はＵ＝ｖＳであり、Ｕは二次体速度であり、ｖは前記ボイスコイルと前記ダイヤフラムの速度であり、Ｓは前記ダイヤフラムの等価面積であり、前記一次回路と前記二次回路との比はＳ：１である、
請求項３の一体化されたバックキャビティ内に存在する圧力を感知するサウンド増幅システム。
【請求項５】
前記スピーカー本体は磁気カラムの柱状体と、前記磁気カラムの前記柱状部の外側に配置される磁石と、前記磁石の上方に位置する磁気プレートとを含み、前記ボイスコイルは前記磁気プレートと前記柱状部との隙間に配置される、
請求項１の一体化されたバックキャビティ内に存在する圧力を感知するサウンド増幅システム。
【請求項６】
前記磁気プレートの上にダンパーが設けられ、前記ダンパーは波形の環状の折り板である、
請求項４の一体化されたバックキャビティ内に存在する圧力を感知するサウンド増幅システム。
【請求項７】
前記スピーカー本体は支えを含み、前記ダイヤフラムは前記支えの頂部に配置される、
請求項１の一体化されたバックキャビティ内に存在する圧力を感知するサウンド増幅システム。
【請求項８】
前記ダイヤフラムは円錐形で、前記ダイヤフラムの頂部に外向きエッジが設けられ、前記外向きエッジが締結装置により前記支えと連結される、
請求項７の一体化されたバックキャビティ内に存在する圧力を感知するサウンド増幅システム。
【請求項９】
前記計算ユニットと前記処理ユニットとは同一チップ上に集積される、
請求項１の一体化されたバックキャビティ内に存在する圧力を感知するサウンド増幅システム。
【請求項１０】
請求項１乃至請求項９のうちのいずれか１項の一体化されたバックキャビティ内に存在する圧力を感知するサウンド増幅システムを含むオーディオプレーヤー。
【発明の詳細な説明】
【技術分野】
【０００１】
本発明は、オーディオ技術分野に関し、特に、サウンド増幅システムに関する。
【背景技術】
【０００２】
スピーカーは電気信号を音声信号に変換する電気音響変換部品であり、サウンド増幅システムの主な一部である。現在使用されているほとんどのスピーカーは電動スピーカーであり、ボイスコイルが交流電流によって給電されると、磁界がボイスコイルに対して作用し、その作用により発生された力がボイスコイルを上下に動かして、ダイヤフラムの振動と音を駆動することができる。スピーカーの音響性能は、スピーカーの構造、材質、技術工程に関係するばかりでなく、スピーカーの制御にも関係するが、現在スピーカーの制御に対するリアルタイムの効果的な対策はなく、サウンド増幅システムの性能に影響を与える。
【発明の概要】
【０００３】
上記の技術問題を解決するため、本発明は一種類の一体化されたバックキャビティ内に存在する圧力を感知するサウンド増幅システムを提供し、具体的な方案は以下の通りであり、すなわち、
一種類の一体化されたバックキャビティ内に存在する圧力を感知するサウンド増幅システムは、
ダイヤフラムと、ダイヤフラムに連接されるボイスコイルと、バックキャビティとを含み、ボイスコイルは駆動ユニットに連接され、バックキャビティには少なくとも一つのマイクロフォンが配置され、バックキャビティ内に存在する圧力の強さがマイクロフォンにより感知されるスピーカー本体と、
バックキャビティ内に存在する圧力の強さによりダイヤフラムの変位を推定する計算ユニットと、
推定されたダイヤフラムの変位を判定し、判定された変位と基準変位とを比較し、設定された閾値を超えたと判定する場合、事前補償信号が生成され、それを駆動ユニットに送る処理ユニットと、
を含む。
【０００４】
一体化されたバックキャビティ内に存在する圧力を感知するサウンド増幅システムにおいて、バックキャビティ内に存在する圧力の強さとダイヤフラムの変位の間に、以下の関係があり、すなわち、
Ｐ（ｓ）＝Ｘ（ｓ）×Ｓ／Ｃａであり、ここで、
Ｐ（ｓ）はバックキャビティ内に存在する圧力の強さのラプラス変換であり、
Ｘ（ｓ）はダイヤフラムの等価変位のラプラス変換であり、
ｓはラプラス独立変数であり、
Ｓはダイヤフラムの等価面積であり、
Ｃａはバックキャビのコンプライアンスである。
【０００５】
一体化されたバックキャビティ内に存在する圧力を感知するサウンド増幅システムにおいて、スピーカー本体の等価回路は一次回路を備え、一次回路はコイルにより生成された力Ｆｃｏｉｌと、回路内に存在するコイルと、ダイヤフラムの速度Ｖと、スピーカー質量Ｍｍｓの等価インダクタンスと、スピーカーの力抵抗Ｒｍｓの等価電気抵抗と、スピーカーコンプライアンスＣｍｓの等価コンデンサーとを含み、
コンバータの一次等価力はＦ’=ｐＳであり、F´はコンバータの一次等価の力であり、ｐはバックキャビティ内に存在する圧力の強さであり、Ｓはダイヤフラムの等価面積である。
【０００６】
一体化されたバックキャビティ内に存在する圧力を感知するサウンド増幅システムにおいて、スピーカー本体の等価回路はさらに二次回路を備え、二次回路はバックキャビティのコンプライアンスＣａの等価コンデンサーを含み、二次体の速度はＵ＝ｖＳであり、Ｕは二次体速度であり、ｖはボイスコイルとダイヤフラムの速度であり、Ｓはダイヤフラムの等価面積であり、一次回路と二次回路との比はＳ：１である。
【０００７】
一体化されたバックキャビティ内に存在する圧力を感知するサウンド増幅システムにおいて、スピーカー本体は磁気カラムの柱状体と、磁気カラムの柱状部の外側に配置される磁石と、磁石の上方に位置する磁気プレートとを含み、ボイスコイルは磁気プレートと柱状部との隙間に配置される。
【０００８】
一体化されたバックキャビティ内に存在する圧力を感知するサウンド増幅システムにおいて、磁気プレートの上にダンパーが設けられ、ダンパーは波形の環状の折り板である。
【０００９】
一体化されたバックキャビティ内に存在する圧力を感知するサウンド増幅システムにおいて、スピーカー本体は支えを含み、ダイヤフラムは支えの頂部に配置される。
【００１０】
一体化されたバックキャビティ内に存在する圧力を感知するサウンド増幅システムにおいて、ダイヤフラムは円錐形で、そのダイヤフラムの頂部に外向きエッジが設けられ、外向きエッジが締結装置により支えと連結される。
【００１１】
一体化されたバックキャビティ内に存在する圧力を感知するサウンド増幅システムにおいて、計算ユニットと処理ユニットとは同一チップ上に集積される。
【００１２】
本発明はさらに一体化されたバックキャビティ内に存在する圧力を感知するサウンド増幅システムを含むオーディオプレーヤーを提供する。
【００１３】
本発明により、バックキャビティに配置されたマイクロフォンによりバックキャビティ内に存在する圧力の強さが感知され、バックキャビティ内に存在する圧力の強さによりダイヤフラムの変位量が推定され、ダイヤフラムの変位量により、スピーカーの歪み状況が正確に判断され事前補償され、歪みを軽減することができるようになり、よって、スピーカーを保護できるようになり、サウンド増幅システムの性能表現を確保することができる。
【図面の簡単な説明】
【００１４】
【図１】図１は、本発明のブロック図である。
【図２】図２は、本発明の機械的なモデルを示す図である。
【図３】図３は、本発明の等価回路を示す図である。
【図４】図４は、本発明のバックキャビティ内の音圧とダイヤフラムの変位との正の相関を示す図である。
【発明を実施するための形態】
【００１５】
以下は図面を参照しながら、本発明の実施形態を説明する。明示されている実施形態は単に本発明の一部の実施形態であり、全ての実施形態ではない。本発明の実施形態に基づいて当業者が創造的な労働をすることなく取得した他の実施形態は、全て本発明の保護範囲内に含まれる。
【００１６】
矛盾しない状態であれば、本発明の実施形態と他の実施形態の特徴とを組み合わせることができることに注意すべきである。
【００１７】
以下で、図面と具体的な実施形態を参照しつつ本発明を詳細に説明するが、発明の範囲を限定することは意図していない。
【００１８】
図１を参照して、一種類の一体化されたバックキャビティ内に存在する圧力を感知するサウンド増幅システムは、
ダイヤフラムと、ダイヤフラムに連接されるボイスコイルと、バックキャビティとを含み、ボイスコイルは駆動ユニット１４に連接され、バックキャビティには少なくとも一つのマイクロフォン１１が配置され、バックキャビティ内に存在する圧力の強さがマイクロフォン１１により感知されるスピーカー本体１０と、
バックキャビティ内に存在する圧力の強さによりダイヤフラムの変位を推定する計算ユニット１２と、
推定されたダイヤフラムの変位を判定し、判定された変位と基準変位とを比較し、設定された閾値を超えたと判定する場合、事前補償信号が生成され、それを駆動ユニットに送る処理ユニット１３と、
を含む。
【００１９】
本発明により、バックキャビティに配置されたマイクロフォンによりバックキャビティ内に存在する圧力の強さが感知され、バックキャビティ内に存在する圧力の強さによりダイヤフラムの変位量が推定され、ダイヤフラムの変位量により、スピーカーの歪み状況が正確に判断され事前補償され、歪みを軽減することができるようになり、よって、スピーカーを保護できるようになり、サウンド増幅システムの性能表現を確保することができるようになった。
【００２０】
本発明の一体化されたバックキャビティ内に存在する圧力を感知するサウンド増幅システムにおいて、図２を参照して、スピーカー本体１０は支え１０１と、ダイヤフラム１０２と、逆Ｔ字型の磁気カラム１０３と、磁石１０４と、磁気プレート１０５と、ボイスコイル１０６と、ダンパー１０７とを含み、ダイヤフラム１０２は支え１０１の頂部に配置され、磁石１０４は逆Ｔ字型の磁気カラム１０３の柱状体の外側に配置され、磁気プレート１０５は磁石１０４の上方に位置し、ボイスコイル１０６は磁気プレート１０５と柱状体との間に配置され、ダンパー１０７は磁気プレート１０５上に配置され、そのダンパー１０７は波形の折り板である。
【００２１】
一体化されたバックキャビティ内に存在する圧力を感知するサウンド増幅システムにおいて、スピーカー本体１０はダストカバー１０８を含み、そのダストカバー１０８はボイスコイル１０６の上方に設けられる。本発明のダイヤフラム１０２は円錐形で、そのダイヤフラム１０２の頂部に外向きエッジが設けられ、当該外向きエッジが支え１０１と締結装置により連結される。
【００２２】
ダイヤフラム本体に、ダイヤフラム１０２と、ボイスコイル１０６と、ボイスコイル１０６が磁気カラムと磁石の間に正しい位置にあることを保証するダンパー１０７とは振動システムを構成し、逆Ｔ字型の磁気カラム１０３と、磁石１０４、磁気プレート１０５とは磁気回路システムを構成し、支え１０１と、ダストカバー１０８等は補助部品を構成している。
【００２３】
本発明のスピーカー本体は上記のような構造を持つ。
【００２４】
図３に示す等価回路を分析する。スピーカー本体の等価回路は一次回路を含み、一次回路はコイルにより生成された力Ｆｃｏｉｌと、回路内に存在するコイルと、ダイヤフラムの速度Ｖと、スピーカー質量Ｍｍｓの等価インダクタンスとスピーカーの力抵抗Ｒｍｓの等価電気抵抗とスピーカーコンプライアンスＣｍｓの等価コンデンサーなどのスピーカーの機械パラメータを含み、コンバータの一次等価力はＦ’＝ｐＳであり、Ｆ’はコンバータの一次等価の力であり、ｐはバックキャビティ内に存在する圧力の強さであり、Ｓはダイヤフラムの等価面積である。スピーカー本体の等価回路はまた二次回路を備え、二次回路はバックキャビティのコンプライアンスＣａの等価コンデンサーを含み、二次体の速度はＵ＝ｖＳであり、Ｕは二次体速度であり、ｖはボイスコイルとダイヤフラムの速度であり、Ｓはダイヤフラムの等価面積であり、一次回路と二次回路との比はＳ：１である。
【００２５】
コンバータの伝送に損失が内と仮定すると、次のようになり、すなわち、
Ｆ’＊ｖ＝ｐ＊Ｕであり、ここで、Ｆ’はコンバータの一次等価の力であり、ｖはボイスコイルとダイヤフラムの速度であり、ｐはバックキャビティ内に存在する圧力の強さであり、Ｕは二次体速度であり、
二次圧力の強さ、つまりバックキャビティ内に存在する圧力の強さはＰ（ｓ）＝Ｕ（ｓ）＊（１／ｓＣａ）＝Ｖ（ｓ）＊Ｓ／ｓＣａであり、ここで、
Ｐ（ｓ）はバックキャビティ内に存在する圧力の強さのラプラス変換であり、
Ｕ（ｓ）は二次体速度のラプラス変換であり、
ｓはラプラス独自変量であり、
Ｃａはバックキャビティのコンプライアンスであり、
Ｖ（ｓ）はボイスコイルとダイヤフラム速度のラプラス変換であり、
Ｓはダイヤフラムの等価面積であり、
Ｖ（ｓ）＝ｓ＊Ｘ（ｓ）から、Ｘ（ｓ）はダイヤフラムの等価変位とし、
上記の公式はＰ（ｓ）＝Ｘ（ｓ）＊Ｓ／Ｃａに変更することができる。すなわち、ダイヤフラムの有効面積とバックキャビティの構造とが一定の場合、バックキャビティの音圧はダイヤフラムの変位と正比例し且つ上記の関係を持つ。図４を参照して、実験データはさらに上記の関係を証明する。
【００２６】
本発明では、密封されたバックキャビティ内に配置されたマイクロフォンによりバックキャビティ内に存在する圧力の強さが感知され、バックキャビティ内に存在する圧力の強さにより上記の関係に基づいてダイヤフラムの変位が推定され、一体化されたバックキャビティの圧力の感知及び問題を簡単化したことに基づいて、本発明の技術は現実が簡単で、且つ、サウンド増幅システムの音響性能を効果的に改善することができ、そして前記の基準変位、設定された閾値は実際状況に従って選択し設定して、メモリに記憶することができる。
【００２７】
本発明のマイクロフォンは１以上でもよく、バックキャビティに配置され、テストの正確性を保証し事前補償を行う。本発明のマイクロフォンは、バックキャビティに存在する位置とマイクロフォンの間の距離を、実際のニーズ及び試験結果に応じて調整することができる。
【００２８】
マイクロフォンは、デジタルマイクロフォンを用いてもよく、好ましくは、マイクロ電気機械式マイクロフォンを用いてもよい。
【００２９】
駆動ボイスコイルに流れる電流の大きさを変換させるため、事前補償信号は一つの増量信号又は減量信号でもよい。また、駆動ユニットのゲインを変換するため、事前補償信号はゲイン調節信号でもよい。当業者は調節の目的によって、従来の技術に基づいて選択することができる。処理ユニット１３と、計算ユニット１２とは、複数の機能を集積したデジタル信号処理のチップなど同一のチップに集積されてもよい。
【００３０】
また、本発明は一つの一体化されたバックキャビティ内に存在する圧力を感知するサウンド増幅システムを含むオーディオプレーヤーを提供する。当該オーディオプレーヤーは、知能スピーカー、インテリジェントなインタラクティブロボット、又は、他の家電のオーディオ再生部分でもよい。
【００３１】
以上述べた実施形態は、単に本発明の例示であり、発明の実施方式及び保護範囲を限定する意図はない。当業者が本発明の説明書及び図面の内容により創作する均等の置換及び明らかな変更は、全て本発明の保護範囲内に含まれることを意識すべきである。
【図１】
2019140660.tif 000003
【図２】
2019140660.tif 000004
【図３】
2019140660.tif 000005
【図４】
2019140660.tif 000006